(57)【要約】【課題】  デザイン性を損なうことなく、高い耐久性を持つカバーを有するカバー構造を提供する。【解決手段】  カバー構造は、ケースの外表面１１ｂに形成され平坦な底面を有する収容凹部２１と、収容凹部２１の縁部に形成され、中心軸２３ａが収容凹部２１の底面と９０°よりも大きく１８０°よりも小さな角度で交差する軸受け開口２３と、軸受け開口２３に回動可能に軸支される軸部材２５ａと、軸部材２５ａと回動一体的に形成され、収容凹部２１に収容される収容位置と、収容凹部２１から突出する突出位置との間で回動可能なカバー本体２５ｂとを有するカバー部材２５とを備える。【選択図】  図２
2006066679.tif 000002
【特許請求の範囲】
【請求項１】
筐体の外表面に形成され平坦な底面を有する収容凹部と、
前記収容凹部の縁部に形成され、中心軸が前記底面と９０°よりも大きく１８０°よりも小さな角度で交差する軸受け開口と、
前記軸受け開口に回動可能に軸支される軸部材と、該軸部材と回動一体的に形成され、前記収容凹部に収容される収容位置と、前記収容凹部から突出する突出位置との間で回動可能なカバー本体とを有するカバー部材と
を備えることを特徴とするカバー構造。
【請求項２】
前記収容凹部の底面には、コネクタ開口が形成され、該コネクタ開口からコネクタが露出する、請求項１に記載のカバー構造。
【請求項３】
前記筐体が、携帯情報端末装置の筐体である、請求項２に記載のカバー構造。
【請求項４】
前記収容凹部近傍の筐体の外表面が前記底面と平行な平坦面である、請求項１〜３の何れか一に記載のカバー構造。
【請求項５】
前記カバー本体は一の方向に長い細長形状を有し、前記収容凹部近傍の筐体の外表面が前記一の方向と直交する方向に沿って曲面に形成されており、該直交する方向に沿って前記曲面に引いた接線が前記中心軸と実質的に直交する、請求項１〜３の何れか一に記載のカバー構造。
【請求項６】
前記軸部材が、前記筐体の内側に前記軸受け開口の縁部から半径方向に突起する環状のストッパを有する、請求項１〜５の何れか一に記載のカバー構造。
【請求項７】
前記軸受け開口の近傍の前記筐体の内面が、前記軸受け開口の中心軸と直交する方向から傾いており、前記環状のストッパは、前記軸受け開口の中心軸と直交する方向から前記筐体の内面とは逆方向に傾いて前記筐体の内面と対向する環状面を有する、請求項６に記載のカバー構造。
【発明の詳細な説明】
【技術分野】
【０００１】
本発明は、カバー構造に関し、更に詳細には、携帯端末に特に好適に適用できるカバー構造に関する。
【背景技術】
【０００２】
携帯端末には、イヤホーンや外部接続ケーブル等に接続するために、端末のケースにコネクタを備えるものがある。コネクタには、コネクタの防塵、防水、及び保護等の目的で、コネクタの非使用時にコネクタ開口の上部を覆う、可撓性を有するカバーが取り付けられる。近年の携帯端末では、一般的に、コネクタ開口をケース表面に形成された溝（収容凹部）の内部に形成し、コネクタの非使用時にはカバーを収容凹部内に収容することによって、携帯端末のデザイン性を高めている。以下、コネクタ開口の上部を覆うカバーと、その周辺の構造をカバー構造と呼ぶ。
【０００３】
従来のカバー構造には、可撓性を有するカバーを使用し、コネクタを使用する際には、図１２に示すようにカバー１０２をケース１０１表面に対して直角方向に折り曲げることによって、コネクタ１０３を露出させ、プラグ１０４を接続可能にするものがある。しかし、このカバー構造では、プラグ１０４接続時にカバー１０２が大きく変形するため、耐久性が低下し、長期間の使用によって塑性変形や破断が生じる問題があった。
【０００４】
上記問題に対して、例えば特許文献１には、カバーがケース表面に対して水平方向に回動（回転）できるように接続し、カバーを回転させることによってコネクタを露出させるカバー構造が記載されている。
【特許文献１】特開２００１−７５５６号公報
【発明の開示】
【発明が解決しようとする課題】
【０００５】
特許文献１のカバー構造では、可撓性を有するカバーを通常時には収容凹部に収容しておき、使用時には回動軸周りに回転させることでコネクタを露出させる。回転に際しては、図１３に示すように、収容凹部１１５とケース１１１表面との段差のため、収容凹部の周縁部１１５ａでカバー１１２をケース１１１上に乗り上げさせている。しかし、近年、特に通信用の携帯端末においては、コネクタを使用する頻度が高まっているため、同文献のカバー構造でもカバーの耐久性が十分であるとは言えなかった。
【０００６】
カバーの耐久性に関しては、特許文献１では更に、回動軸を中心とする扇形状に収容凹部を形成することによって、カバーを回転させる際の変形を抑制することを提案している。しかし、カバーの平面形状と収容凹部の平面形状とが異なると、携帯端末のデザイン性が損われてしまう。本発明は、上記に鑑み、デザイン性を損なうことなく、高い耐久性を持つカバーを有するカバー構造を提供することを目的とする。
【課題を解決するための手段】
【０００７】
上記目的を達成するために、本発明のカバー構造は、筐体の外表面に形成され平坦な底面を有する収容凹部と、
前記収容凹部の縁部に形成され、中心軸が前記底面と９０°よりも大きく１８０°よりも小さな角度で交差する軸受け開口と、
前記軸受け開口に回動可能に軸支される軸部材と、該軸部材と回動一体的に形成され、前記収容凹部に収容される収容位置と、前記収容凹部から突出する突出位置との間で回動可能なカバー本体とを有するカバー部材と
を備えることを特徴としている。
【発明の効果】
【０００８】
本発明によれば、軸受け開口の中心軸が収容凹部の底面と９０°よりも大きく１８０°よりも小さな角度で交差するため、カバー本体がその回動に伴って筐体から離隔する。この場合、カバー本体は収容凹部の周縁部を乗り越えるときのみ筐体に接触し、変形を生じる。従って、カバー本体の回動に際して、カバー本体の変形を小さくすることができ、カバー部材の耐久性を高めることが出来る。本発明によれば、また、カバー本体を、収容凹部の形状に合う形状に形成することが出来るので、カバー構造のデザイン性を維持することが出来る。
【０００９】
本発明では、前記収容凹部の底面には、コネクタ開口が形成され、該コネクタ開口からコネクタが露出するものとすることが出来る。また、前記筐体が、携帯情報端末装置の筐体であるとすることが出来る。或いは、前記収容凹部近傍の筐体の外表面が前記底面と平行な平坦面であるとすることが出来る。
【００１０】
本発明の好適な実施態様では、前記カバー本体は一の方向に長い細長形状を有し、前記収容凹部近傍の筐体の外表面が前記一の方向と直交する方向に沿って曲面に形成されており、該直交する方向に沿って前記曲面に引いた接線が前記中心軸と実質的に直交する。この場合、収容凹部の底部と筐体の外表面との間の段差を一律に小さくすることが出来るので、カバー部材の回動に際して、カバー本体の変形を小さくすることが出来る。
【００１１】
本発明の好適な実施態様では、前記軸部材が、筐体の内側に前記軸受け開口の縁部から半径方向に突起する環状のストッパを有することによって、軸部材が軸受け開口から抜け出ることを防止する。この場合、好ましくは、前記軸受け開口の近傍の筐体の内面が、前記軸受け開口の中心軸と直交する方向から傾いており、前記環状のストッパは、前記軸受け開口の中心軸と直交する方向から前記筐体の内面とは逆方向に傾いて前記筐体の内面と対向する環状面を有する。本構成を採用すると、カバー本体を回転させる際に、軸部材を中心軸に沿って外側に少しずつ移動させることが出来る。このため、特に、カバー本体を収容凹部の外側に移動させる際のカバー本体の変形を小さくすることによって、カバー本体の耐久性を高めることが出来る。
【発明を実施するための最良の形態】
【００１２】
以下に、実施形態を挙げ、添付図面を参照して、本発明の実施の形態を具体的且つ詳細に説明する。図１に、本発明の第１実施形態に係る携帯端末の構成を示す。携帯端末１０は、例えば電話機であり、ケース（筐体）１１、入力操作を受け付ける操作キー１２、画像情報の表示を行う表示部１３、受話部１４、送話部１５、通信アンテナ１６、及び、コネクタが収容されたコネクタ収容部１７を備える。ケース１１は、プラスチック等の成形材料から成り、コネクタ収容部１７は平坦なケースの側部１９に取り付けられている。
【００１３】
図２に、図１のII−II線に沿った断面を示す。ケースの外表面１１ｂには、底面がケースの外表面１１ｂに平行な、凹状の収容凹部２１が形成されている。収容凹部２１内の中央付近にはコネクタ開口２２が形成され、収容凹部２１内の縁部付近にはカバー部材取付用の軸受け開口２３が形成されている。軸受け開口２３は、円筒形状を有し、且つその中心軸２３ａが収容凹部２１の底面に対して１２０°の角度を有するように形成されている。また、軸受け開口２３の近傍のケースの内表面１１ａ、及び収容凹部２１の底面には、切欠きがそれぞれ形成されている。切欠きの表面２４ａ，２４ｂは何れも軸受け開口の中心軸２３ａに対して垂直な平面を有する。
【００１４】
コネクタ収容部１７には、カバー部材２５が配設されている。カバー部材２５は成形されたゴムから成り、軸部材２５ａと、軸部材２５ａに接続されるカバー本体２５ｂとから構成される。カバー本体２５ｂは、収容凹部２１の形状に合致する略直方体の形状に形成されている。なお、カバー部材２５の材質は、可撓性を有するものであれば良く、ゴムに限定されない。
【００１５】
軸部材２５ａは、円柱形状を有する軸部２６と、軸部２６の内側及び外側にそれぞれ半径方向に突起する環状の内ストッパ２８及び外ストッパ２９とを有する。軸部２６は、その円柱形状の中心軸２６ａが、カバー本体２５ｂに対して１２０°の角度を有するように形成されている。内ストッパ２８及び外ストッパ２９は、内側の切欠き表面２４ａ及び外側の切欠き表面２４ｂに対向する内ストッパ面２８ａ及び外ストッパ面２９ａをそれぞれ有し、内ストッパ面２８ａ及び外ストッパ面２９ａは何れも軸部の中心軸２６ａに垂直な平面に形成されている。
【００１６】
軸部２６は、その中心軸２６ａが軸受け開口の中心軸２３ａに一致するように軸受け開口２３内に収容され、中心軸２３ａ，２６ａを回動軸として回動可能に軸支される。この場合、回動軸２３ａ，２６ａがケース１１の表面に対して１２０°の角度を有しているため、カバー本体２５ｂを収容位置から回転させると、カバー本体２５ｂはその回転に伴ってケース１１の表面から離隔する。また、内ストッパ面２８ａが内側の切欠き表面２４ａに、外ストッパ面２９ａが外側の切欠き表面２４ｂにそれぞれ当接することによって、軸部２６が軸受け開口２３から抜け出ないように固定されている。
【００１７】
携帯端末１０において、カバー本体２５ｂが収容凹部２１に収容された状態から、プラグ３０の接続が可能な状態に変更するには、先ず、カバー本体２５ｂを外側に折り曲げて、収容凹部２１から取り出し、中心軸２３ａ，２６ａを中心に収容位置から回転させる。図３に、カバー本体が収容位置から９０°回転した状態を示す。図４は、図３のIV−IV線に沿った断面を示している。この状態で、カバー本体２５ｂは、収容凹部の周縁部２１ａにおいて、ケース１１の表面に当接し、外側に変形している。
【００１８】
図５に、カバー本体が収容位置から１８０°回転し、且つコネクタにプラグが接続された状態を示す。図６は、図５におけるVI−VI線に沿った断面を示している。カバー本体２５ｂを収容位置から一定の角度以上に回転させると、カバー本体２５ｂはケース１１の表面から十分に離隔し、カバー本体２５ｂを外側に折り曲げなくても、カバー本体２５ｂはケース１１に接触しなくなる。
【００１９】
本実施形態の携帯端末によれば、カバー本体２５ｂが収容位置からの回転に伴ってケース１１から離隔するため、プラグ３０の接続に際して、カバー本体２５ｂの変形を小さくすることができる。これによって、カバー部材２５の耐久性を高めることが出来る。また、カバー本体２５ｂが、収容凹部２１の形状に合致する形状に形成されているため、カバー構造のデザイン性を損なうこともない。
【００２０】
図７に、本実施形態の変形例に係る携帯端末を示す。図８は、図７のVIII−VIII線に沿った断面を示している。携帯端末４０では、ケース側部１９の表面が、ケース１１の前面側から後面側に向かって凸状の曲面に形成されている。また、軸受け開口の中心軸２３ａは、その中心軸２３ａがケースの外表面１１ｂを通過する点において、ケース１１の前面側から後面側に引いた接線３１に略直交するように形成されている。本変形例の携帯端末は、上記を除いては、本実施形態の携帯端末と同様の構成を有している。
【００２１】
図９に、軸受け開口の中心軸２３ａが、その中心軸２３ａがケースの外表面１１ｂを通過する点において、ケース１１の前面側から後面側に引いた接線３１に直交しない、比較例の携帯端末の構成を示す。携帯端末５０では、軸受け開口の中心軸２３ａは、その中心軸２３ａがケースの内表面１１ａを通過する点において、ケース１１の前面側から後面側に引いた接線３２に略直交している。この場合、収容凹部２１の底部とケースの外表面１１ｂとの間の段差が場所によって極めて大きくなるため、カバー本体２５ｂを回動させる方向によってカバー本体２５ｂの変形が極めて大きくなる。これに対して、図７、８に示した本変形例の携帯端末では、上記段差を一律に小さくすることが出来るので、カバー本体２５ｂを収容位置から回転させた状態でのカバー本体２５ｂの変形を小さくすることが出来る。
【００２２】
図１０に、本発明の第２実施形態に係る携帯端末について、図１のII−II断面に相当する断面を示す。本実施形態では、内側の切欠き表面２４ａが、軸受け開口の中心軸２３ａと直交する方向に対して、収容凹部２１の側に傾いて１０°の角度を有する。また、内ストッパ面２８ａが、軸部材の中心軸２６ａと直交する方向に対して、カバー本体２５ｂとは反対側に傾いて１０°の角度を有する。更に、カバー本体２５ｂが収容凹部２１に収容された状態で、軸受け開口２３の下端の幅と、軸部２６の下端の幅とが略一致する。本実施形態の携帯端末は、上記を除いては第１実施形態の携帯端末と同様の構成を有している。
【００２３】
携帯端末４１では、カバー本体２５ｂが収容凹部２１に収容された状態で、外ストッパ面２９ａは外側の切欠き表面２４ｂに中心軸２３ａ，２６ａ周りの全てにおいて当接し、内ストッパ面２８ａは内側の切欠き表面２４ａに下端の一点のみで当接している。カバー本体２５ｂを収容位置から回転させると、内ストッパ面２８ａは内側の切欠き表面２４ａから少しずつ離隔し、内ストッパ面２８ａと内側の切欠き表面２４ａとの間に隙間を生じる。
【００２４】
従って、カバー部材２５が収容位置から回転した場合には、カバー部材２５を中心軸２３ａ，２６ａに沿って、内ストッパ面２８ａが内側の切欠き表面２４ａに当接するまで、外方向に移動させることが出来る。図１１に、カバー部材２５を収容位置から１８０°回動させ、且つ内ストッパ面２８ａが内側の切欠き表面２４ａに当接するまで、外方向に移動させた状態を示す。同図に示した状態では、内ストッパ面２８ａが内側の切欠き表面２４ａに中心軸２３ａ，２６ａ周りの全てにおいて当接し、カバー部材２５は最も外側に移動する。
【００２５】
本実施形態の携帯端末によれば、第１実施形態の効果に加えて、カバー部材２５を収容位置から回転させるのに伴って、カバー部材２５を外側に移動させることが出来る。従って、プラグ３０接続に際して、特に、収容凹部２１に収容されたカバー本体２５ｂを収容凹部２１の外側に移動させる際に、カバー本体２５ｂの変形を小さくすることが出来るので、カバー本体２５ｂの耐久性を高めることが出来る。
【００２６】
以上、本発明をその好適な実施形態に基づいて説明したが、本発明に係るカバー構造は、上記実施形態の構成にのみ限定されるものではなく、上記実施形態の構成から種々の修正及び変更を施したカバー構造も、本発明の範囲に含まれる。
【図面の簡単な説明】
【００２７】
【図１】第１実施形態の携帯端末の構成を示す斜視図である。
【図２】図１のII−II断面を示す断面図である。
【図３】第１実施形態の携帯端末について、カバー部材が収容位置から９０°回転した状態を示す斜視図である。
【図４】図３のIV−IV断面を示す断面図である。
【図５】第１実施形態の携帯端末について、カバー部材が収容位置から１８０°回転し、且つコネクタにプラグが接続された状態を示す斜視図である。
【図６】図５のVI−VI断面を示す断面図である。
【図７】第１実施形態の変形例に係る携帯端末の構成を示す斜視図である。
【図８】図７のVIII−VIII線に沿った断面を示す断面図である。
【図９】比較例の携帯端末の構成を示す断面図である。
【図１０】第２実施形態の携帯端末における、図１のII−II断面に相当する断面を示す断面図である。
【図１１】第２実施形態の携帯端末について、カバー本体が収容位置より１８０°回転し、且つコネクタにプラグが接続された状態を示す断面図である。
【図１２】従来のカバー構造の一例を示す断面図である。
【図１３】特許文献１のカバー構造について、カバーが収容位置から回転した状態を示す断面図である。
【符号の説明】
【００２８】
１０，４０，４１，５０：携帯端末
１１：ケース
１１ａ：（ケースの）内表面
１１ｂ：（ケースの）外表面
１２：操作キー
１３：表示部
１４：受話部
１５：通話部
１６：通信アンテナ
１７：コネクタ収容部
１８：コネクタ
１９：ケースの側部
２１：収容凹部
２１ａ：収容凹部の周縁部
２２：コネクタ開口
２３：軸受け開口
２３ａ：（軸受け開口の）中心軸
２４ａ：（内側の）切欠き表面
２４ｂ：（外側の）切欠き表面
２５：カバー部材
２５ａ：軸部材
２５ｂ：カバー本体
２６：軸部
２６ａ：（軸部の）中心軸
２８：内ストッパ
２８ａ：内ストッパ面
２９：外ストッパ
２９ａ：外ストッパ面
３０：プラグ
３０ａ：ケーブル
３１，３２：接線
３３：隙間
１０１：ケース
１０２：カバー
１０３：コネクタ
１０４：プラグ
１０４ａ：ケーブル
１０５：収容凹部
１１１：ケース
１１２：カバー
１１３：コネクタ
１１４：プラグ
１１４ａ：ケーブル
１１５：収容凹部
１１５ａ：収容凹部の周縁部
１１６：回動軸
【図１】
2006066679.tif 000003
【図２】
2006066679.tif 000004
【図３】
2006066679.tif 000005
【図４】
2006066679.tif 000006
【図５】
2006066679.tif 000007
【図６】
2006066679.tif 000008
【図７】
2006066679.tif 000009
【図８】
2006066679.tif 000010
【図９】
2006066679.tif 000011
【図１０】
2006066679.tif 000012
【図１１】
2006066679.tif 000013
【図１２】
2006066679.tif 000014
【図１３】
2006066679.tif 000015